(57)【要約】【課題】エアインパクトレンチの打撃部の強度を向上する。【解決手段】  ハンマーケース５１内で回転するエアハンマー６５とから構成され、図示されないエアモータに駆動されてハンマーケース内で回転するハンマーの回転力が出力軸７０を介して、レンチのソケットに伝達される。ハンマーケースとハンマーケース蓋の軸受に枢支されて回転する中心軸６６両側のハンマー６５と中心軸６６との間を肉厚で円孤状のハンマー側部６８でつつむようにして介在させ、中心軸とハンマーとの結合断面積を大きくしてハンマーの打撃時の中心軸とハンマー間の応力集中を緩和する。【選択図】  図４
0003111961.tif 000002
【実用新案登録請求の範囲】
【請求項１】
ハンマーケースと、カムと、ハンマーとから構成されるエアインパクトレンチの打撃部の構造において、
前記打撃部両端には、エアモータおよび出力軸が接続され、
前記ハンマーケースは、縦断面がコ型の円柱体から構成され、エアモータに対応するハンマーケース端部壁面にはエアモータと連結されるカムが貫設され、ハンマーケース内部周縁面には軸方向に延長した軸溝が形成され、ハンマーケースの軸孔を備える内壁面上には軸溝に対応する軸受が形成され、ハンマーケース内部周縁面の軸溝両側面の縁部にはそれぞれ凹状の収容溝が形成されており、ハンマーケース開口部の一端にはハンマーケース蓋が設けられ、前記ハンマーケース蓋の内部周縁には前記ハンマーケースの軸溝および収容溝に対応する軸溝および収容溝が形成され、ハンマーケース蓋内壁面には前記軸溝に対応する軸受が形成されており、
前記ハンマーは、円孤状を呈し、前記ハンマーの端面中央には軸方向に延長突出した中心軸が形成され、前記中心軸はハンマーケースの軸溝に対応しており、ハンマーの中心軸両端には軸受に対応する中心軸凸部がそれぞれ設けられ、ハンマーの中心軸の両側面には肉厚で孤状のハンマー側部がそれぞれハンマーに重ねて形成されてハンマー厚さを補強すると共に、そのハンマー中心軸凸部との間を円孤状ガイド縁部として中心軸とハンマーとの結合断面積を大きくしてハンマーの打撃時の中心軸とハンマー間の応力集中を緩和してなることを特徴とするエアインパクトレンチの打撃部の構造。
【考案の詳細な説明】
【技術分野】
【０００１】
本考案はエアインパクトレンチに用いられる打撃部の構造に関し、打撃部のハンマー上に肉厚なハンマー側部を設けることによって、有効にハンマーの強度を向上し、せん断抵抗力を向上し、割れや断裂を防ぎ、従来技術のものと比較して有効にエアインパクトレンチの耐用年数を延長し、さらに、打撃をよりスムーズにできるエアインパクトレンチの打撃部の構造に関する。
【背景技術】
【０００２】
エアレンチは迅速且つ確実にボルトやナットなどの締緩を行うことができる手工具であり、主に高圧空気によって作動するモータによって打撃部を作動し、打撃部がアンビルを打撃して出力軸を振動回動させるものであり、振動力を利用してボルトやナットなどの締緩を行うことができる。従来技術によるエアインパクトレンチの打撃部の構造としては、例えば図１、２、３に示すものがあり、打撃部１０は主にハンマーケース１１と、ハンマー１６とから構成され、ハンマーケース１１はエアモータ（図なし）に対応して一端に軸孔１２（図２）が形成されている。ハンマーケース１１の内部周縁にはハンマーが設置される軸溝１３が形成され、軸溝１３のハンマーケース１１内部壁面端部には円柱状の軸受１４が形成されている。ハンマーケース１１内のハンマー１６は円孤状を呈し、ハンマー１６背面中央には軸溝１３に対応する中心軸１７が形成され、中心軸１７両端には軸受１４に対応する中心軸凸部１７０が設けられている。ハンマーケース１１の他端には出力軸２０が貫設されるハンマーケース蓋１８が嵌設され、ハンマーケース蓋１８内部壁面には前述の軸受１４に対応する軸受１９が形成されている。ハンマー１６の中心軸凸部１７０はハンマーケース１１とハンマーケース蓋１８内壁の軸受１４、１９間に枢設され、ハンマー１６はハンマーケース１１内に設置された出力軸２０のアンビル溝２６のアンビル段部２５に対応し、ハンマー１６が回動して出力軸２０を打撃することによって、出力軸のソケットを通じてボルトやナットなどの締緩を行う。
【０００３】
しかし、従来技術による打撃部の設計には問題が存在する。ハンマー１６は円孤状体であるので、回動して打撃の動作を行うとき、全ての応力は中心軸１７両側に集中し、同時に中心軸１７両側の中心軸凸部１７０はハンマーケース１１とハンマーケース蓋１８の軸受１４、１９内に枢設されているので、横向きのせん断力を受け、ハンマー１６は回動過程において、振動によって容易にひび割れや断裂を生じ、ハンマー１６がハンマーケース内に引っ掛かって打撃がスムーズに行われない状況が発生してしまい、エアーインパクトレンチの正確な操作に影響を及ぼし、さらにはエアインパクトレンチの破損をももたらし、使用寿命を短くしている。
【０００４】
上述の説明からわかるように、従来技術によるエアインパクトレンチの構造には改善すべき点が存在し、普遍的に構造強度不足および使用寿命が短いという問題が存在するので、改良を施し、運転の正確性を高め、使用寿命を延ばす必要がある。
【０００５】
そこで本考案の考案者は上述の問題に鑑み、長期に渡る研究および試作によって、ついに強度に優れ、ハンマーがひび割れて打撃時にハンマーが引っ掛かる現象の発生減らし、同時に使用寿命を延ばすことができるエアインパクトレンチの打撃部の構造を案出した。
【特許文献１】特開２００４−１０６０７０号公報
【考案の開示】
【考案が解決しようとする課題】
【０００６】
本考案の目的は、構造強度に優れ、ハンマーがひび割れて引っ掛かる現象の発生を防止でき、運転をスムーズにでき、使用寿命を延ばすことができるエアインパクトレンチの打撃部の構造を提供することにある。
【課題を解決するための手段】
【０００７】
上記課題を解決するため、本考案は、エアインパクトレンチの打撃部の構造であって、主に、ハンマーケースと、カムと、ハンマーとから構成されている。打撃部両端にはエアモータおよび出力軸が接続されている。ハンマーケースは、断面がコ型の円柱体から製造され、エアモータに対応するハンマーケース端部壁面にはエアモータと連結されるカムが貫設されている。ハンマーケース内部周縁面には軸方向に延伸した軸溝が形成され、ハンマーケースの軸孔を備える内壁面上には軸溝に対応する軸受が形成され、ハンマーケース内部周縁面の軸溝両側面の縁部にはそれぞれ凹状の収容溝が形成されている。ハンマーケース開口部の一端にはハンマーケース蓋が設けられ、ハンマーケース蓋の内部周縁にはハンマーケースの軸溝および収容溝に対応する軸溝および収容溝が形成され、ハンマーケース蓋内壁面には軸溝に対応する軸受が形成されている。ハンマーは、孤状を呈し、ハンマーの背面中央には軸方向に延伸した中心軸が形成され、中心軸はハンマーケースの軸溝に対応しており、ハンマーの中心軸両端には軸受に対応する中心軸凸部がそれぞれ設けられている。ハンマーの中心軸のもう一方の両端には肉厚で孤状のハンマー側部がそれぞれ形成され、ハンマー両端の中心軸凸部の中心軸底端の周囲には凹状の孤状ガイド縁部が形成されている。上述の構造によって構造強度を大幅に高めることができ、有効的にハンマーのひび割れや断裂を防止でき、運転をよりスムーズにし、同時に打撃部の使用寿命を延ばし、経済価値を高めることができる。
【考案の効果】
【０００８】
本考案は一般のエアインパクトレンチの機能および作用を達成できるだけでなく、ハンマーの中心軸両側面に形成された比較的厚いハンマー側部によって構造強度を高めることができ、同時にハンマー両端の中心軸凸部底端の孤状ガイド縁部によって回動打撃時の横向きのせん断力を克服でき、応力が集中したり、破損したりするのを防ぐことができ、ハンマーが振動によってひび割れたり、断裂したりする現象の発生を減少させ、有効的に使用寿命を延ばすことができた。
【考案を実施するための最良の形態】
【０００９】
本考案の構成、特徴およびその他目的を実施形態に沿って図を参照しながら説明を行う。下記の説明は本考案の好適な実施形態を示すものであり、本考案の範囲を限定するものではなく、本考案の主旨に基づいた如何なる修飾や変更などは全て本考案の保護範囲に含まれる。
【００１０】
本考案は構造強度を高めることができるエアインパクトレンチの打撃部の構造であって、図４に示すように、打撃部５０は主に、ハンマーケース５１と、カム６０と、ハンマー６５とから構成されている。打撃部５０両端にはエアモータ８０および出力軸７０（図７を参照）が接続されており、打撃部５０はエアーモータ８０によって正、逆方向に回動でき、打撃部５０が出力軸７０を作動し、回動振動の方式によってボルトやナットなどの締緩を行うが、以上の構造および作動原理は従来技術のエアインパクトレンチと同一であり、本考案の特徴を示さないので、詳細な説明は行わない。
【００１１】
本考案の詳細な説明に関しては、図４、５、６、７に示すように、打撃部５０のハンマーケース５１は、断面がコ型の円柱体から製造され、エアモータ８０に対応するハンマーケース５１一端の中央には軸孔５２が形成され、ハンマーケース５１の軸孔５２上には壁面にはエアモータ８０に貫設されるカム６０が設けられ、カム６０はハンマー６５を作動できる。ハンマーケース５１内部周縁面には軸方向に延伸した軸溝５３が形成され、ハンマーケース５１の軸孔５２を備える内壁面上には軸溝５３に対応する軸受５４が形成され、ハンマーケース５１内部周縁面の軸溝５３両側面の縁部にはそれぞれ凹状の収容溝５５が形成されている。ハンマーケース５１開口部の一端にはハンマーケース蓋５６が設けられ、ハンマーケース蓋５６の内部周縁にはハンマーケース５１の軸溝５３および収容溝５５に対応する軸溝５７および収容溝５９が形成され、ハンマーケース蓋５６内壁面には軸溝５７に合わせた軸受５８が形成されており、ハンマーケース５１とハンマーケース蓋５６とは軸受５４、５８によってハンマー６５を回動可能に枢設している。
【００１２】
ハンマー６５は、円孤状を呈し、ハンマー６５の端面中央には軸方向に延伸した中心軸６６が形成され、中心軸６６はハンマーケース５１の軸溝５３に対応しており、ハンマー６５の中心軸６６両端には中心軸凸部６７がそれぞれ設けられ、両中心軸凸部６７はハンマーケース５１およびハンマーケース蓋５６の軸受５４、５８に枢設されている。ハンマー６５の中心軸６６の両側面には肉厚で円孤状のハンマー側部６８がそれぞれ形成され、ハンマー６５両端の中心軸凸部６７の中心軸６６付け根基端の周囲を囲んで円孤状ガイド縁部６９が形成されており、横向きのせん断力が集中するのを防止している。
本考案は、ハンマー６５と中心軸６６との間を肉厚で円孤状のハンマー側部６８でつつむようにして介在させ、中心軸とハンマーとの結合断面積を大きくしてハンマーの打撃時の中心軸とハンマー間の応力集中を緩和している。
【００１３】
出力軸７０一端にはソケットを接続する角ドライブが形成され、他端にはアンビル段部７５が形成されており、アンビル段部７５上にはハンマー６５に対応するアンビル溝７６が形成されている。
【００１４】
上記の構造によって、強度に優れ、使用寿命が長いエアインパクトレンチの打撃部の構造が構成されている。
【００１５】
本実施形態を実際に運用するとき、図４に示すように、高圧空気がエアモータ８０に進入した後、カム６０がハンマー６５と噛合し、ハンマー６５の中心軸６６とハンマーケースとが接続されていることによって、ハンマー６５を回動でき、ハンマー６５が出力軸７０を回動させることによって、出力軸７０に嵌設されているソケットを動かし、ボルトやナットなどの締緩を行う。
【００１６】
上述の説明から本考案は、一般のエアインパクトレンチの機能および作用を達成できるだけでなく、ハンマー６５の中心軸６６両側面に形成された比較的厚いハンマー側部６８によって構造強度を高めることができ、同時にハンマー６５両端の中心軸凸部６７底端の孤状ガイド縁部６９によって回動打撃時の横向きのせん断力を克服でき、応力が集中したり、破損したりするのを防ぎ、ハンマー６５が振動によってひび割れたり、断裂したりする現象の発生を減少させることができ、有効的に使用寿命を延ばすことができる。
【００１７】
本考案の特殊な設計によって、エアインパクトレンチの構造強度を高め、使用寿命を延ばすことができ、本考案は確実に新規性および進歩性を備え、同様の技術領域において同一または近似の製品の公開および使用は未だされていない。
【図面の簡単な説明】
【００１８】
【図１】従来技術によるエアインパクトレンチの打撃部の構造を示す立体分解図である。
【図２】従来技術によるエアインパクトレンチのハンマーケースを示す斜視図およびハンマーケース蓋を示す正面図である。
【図３】従来技術によるエアインパクトレンチのハンマーを示す斜視図である。
【図４】本考案によるエアインパクトレンチの打撃部の構造を示す立体分解図である。
【図５】本考案によるエアインパクトレンチのハンマーケースを示す斜視図およびハンマーケース蓋を示す正面図である。
【図６】本考案によるエアインパクトレンチのハンマーを示す平面図および斜視図である。
【図７】本考案によるエアインパクトレンチの打撃部の構造を示す側面断面図である。
【符号の説明】
【００１９】
５０    打撃部
５１    ハンマーケース
５２    軸孔
５３    軸溝
５４    軸受
５５    収容溝
５６    ハンマーケース蓋
５７    軸溝
５８    軸受
５９    収容溝
６０    カム
６５    ハンマー
６６    中心軸
６７    中心軸凸部
６８    ハンマー側部
６９    弧状ガイド縁部
７０    出力軸
７５    アンビル段部
７６    アンビル溝部
８０    エアモータ
【図１】
0003111961.tif 000003
【図２】
0003111961.tif 000004
【図３】
0003111961.tif 000005
【図４】
0003111961.tif 000006
【図５】
0003111961.tif 000007
【図６】
0003111961.tif 000008
【図７】
0003111961.tif 000009